(57)【特許請求の範囲】
【請求項１】
互いに異なるタイミングで繰り返し送信する電波の送信状態を前記タイミングごとに制御する無線基地局と、
前記無線基地局から送信される自局の割り当てタイミングの前記電波を受信し、該受信した電波に基づいてそれぞれの接続先を検出する複数の無線移動機と、
を備え、
前記無線基地局は、任意の前記タイミングの電波の送信状態を、連続して停止する完全停波状態、間欠的に停止する間欠停波状態、または無効な情報を送信する無効情報送信状態のいずれかに制御することを特徴とする移動無線通信システム。
【請求項２】
前記無線基地局は、上位装置から指示された前記タイミング、または共通チャネル信号の受信数が閾値を超えた前記無線移動機に対応する前記タイミングに対して、前記電波の送信状態を、前記完全停波状態、前記間欠停波状態または前記無効情報送信状態のいずれかに制御することを特徴とする請求項１に記載の移動無線通信システム。
【請求項３】
複数の無線移動機に向けて互いに異なるタイミングで電波を繰り返し送信する無線基地局において、
前記無線移動機から共通チャネル信号を受信する無線受信部と、
前記無線受信部により受信された共通チャネル信号の受信処理を行う信号処理部と、
上位装置からの指示を受け取るインターフェースと、
前記信号処理部により受信処理された共通チャネル信号の受信数、または前記インターフェースを介して前記上位装置から受け取った指示に基づいて、任意の前記タイミングの電波の送信状態を制御する制御部と、
前記制御部の制御に基づいて前記無線移動機へ前記電波を送信する無線送信部と、
を備え、
前記制御部は、前記上位装置から指示された前記タイミング、または前記共通チャネル信号の受信数が閾値を超えた前記無線移動機に対応する前記タイミングに対して、前記電波の送信状態を、連続して停止する完全停波状態、間欠的に停止する間欠停波状態、または無効な情報を送信する無効情報送信状態のいずれかに制御することを特徴とする無線基地局。
【発明の詳細な説明】
【技術分野】
【０００１】
この発明は、移動無線通信システムおよび無線基地局に関する。
【背景技術】
【０００２】
従来、移動無線通信システムにおいて、無線移動機は、移動すると、通信可能な無線基地局からの電波を探し直し、使用可能なセルを検出する必要がある。また、無線移動機は、通信の待ち受け状態において、最も損失の小さいセルを検出する動作を行っている。これをセルリセレクションといい、セルを検出することをセルサーチという。例えば、次のようなページング携帯無線機の位置登録方法が提案されている。無線呼出受信部が多数の呼出チャネルの中から最良の呼出チャネルを選択するステップと、選択した呼出チャネルがそれまで使用していた呼出チャネルと異なる場合には、無線電話送受信部を動作させ最良の無線基地局の無線チャネルを選択し、記憶するステップと、この記憶する無線チャネルで発信することにより無線基地局がどの無線呼出エリアに属しているかを決定し、該当する無線呼出エリアの呼出基地局の番号を位置登録信号として記憶するステップからなる（例えば、特許文献１参照。）。
【０００３】
また、無線移動機の移動によって、各無線基地局にかかる負荷に偏りが生じる場合には、その偏りを解消する必要がある。例えば、次のような負荷分散方法が提案されている。複数の無線アクセスポイント装置の各々にかかっている負荷と各無線アクセスポイント装置がデータブロックを送信しているマルチキャストグループとを管理ノード装置に把握させ、各無線アクセスポイント装置にかかっている負荷に偏りがあるか否かを判定させる。そして、偏りがあると判定された場合には、かかっている負荷が最も大きい無線アクセスポイント装置からデータブロックを送信されているマルチキャストグループのうちから少なくとも１つを上記管理ノード装置に特定させ、そのマルチキャストグループへ参加している無線端末（無線移動機）へ、かかっている負荷が最も小さい無線アクセスポイント装置へ接続を切替えることを要求させる（例えば、特許文献２参照。）。
【０００４】
また、次のような移動無線方式が提案されている。基地局（無線基地局）を制御する制御局に、各基地局の使用率を検出し、ある１つの基地局の使用率が設計値を超えかつ該１つの基地局に隣接する基地局の回線に空きがあるときに、該１つの基地局の送信電力を変化した値に設定するための送信電力制御信号を送出する手段を設け、前記各基地局に、前記送信電力制御信号を受け取ると自局の送信電力を変化させる手段を設け、これにより前記送信電力を変化させた基地局の受け持つサービスエリアの範囲を変化させる（例えば、特許文献３参照。）。
【０００５】
一方、次のような移動通信装置および間欠受信装置が提案されている。基地局（無線基地局）にはその基地局における着信情報送信用スロットの繰り返し周期をその基地局の無線ゾーン内に存在する移動局に通知し、移動局（無線移動機）は、その通知と自局に割り当てられた種別とから間欠受信周期を可変に設定する。（例えば、特許文献４参照。）。
【０００６】
【特許文献１】特開平５−２７６１００号公報
【特許文献２】特開２００４−３５００５２号公報
【特許文献３】特開昭５７−２１０７３９号公報
【特許文献４】特開平６−１４１３６５号公報
【発明の開示】
【発明が解決しようとする課題】
【０００７】
しかしながら、前記特許文献２には、最も負荷の大きい無線アクセスポイントに接続しているマルチキャストグループの無線移動機の接続先を、最も負荷の小さい無線アクセスポイント装置に切り替えるということが記載されているだけである。どのようにしてその切り替えを行わせるかということについては、明示されていない。また、前記特許文献３に開示された方式では、無線基地局の送信電力を変化させるため、全ての無線移動機に対して無線エリアが縮小されてしまうという欠点がある。
【０００８】
上述した従来技術による問題点を解消するため、間欠受信を行う無線移動機のセルリセレクションを制御することができる移動無線通信システムおよび無線基地局を提供することを目的とする。
【課題を解決するための手段】
【０００９】
上述した課題を解決し、目的を達成するため、この移動無線通信システムおよび無線基地局は、間欠受信（ＤＲＸ：Ｄｉｓｃｏｎｔｉｎｕｏｕｓ  Ｒｅｃｅｉｖｉｎｇ  ｆｏｒ  Ｐｏｗｅｒ  Ｓａｖｉｎｇ）を行う複数の無線移動機に向けて、無線移動機が受信チェックを行うための電波を無線移動機ごとに異なるタイミングで送信する際に、現在のセルを再度選択させたくない無線移動機に割り当てられたタイミングで、受信チェック用の電波の送信を連続的もしくは間欠的に停止するか、または無効な情報を送信することを要件とする。
【００１０】
この移動無線通信システムおよび無線基地局によれば、受信チェック用の電波の送信が連続的もしくは間欠的に停止された無線移動機は、現在のセルの電波の品質が悪いと判断し、他のセルへの移動を試みる。受信チェック用の情報として無効な情報が送信された無線移動機についても同様である。そして、他のセルへの移動を試みた無線移動機は、移動先の候補となるセルで受信チェック用の電波を受信し、電波の品質が許容範囲にあれば、そのセルへ移動する。
【発明の効果】
【００１１】
この移動無線通信システムおよび無線基地局によれば、間欠受信を行う無線移動機のセルリセレクションを制御することができるという効果を奏する。
【発明を実施するための最良の形態】
【００１２】
以下に添付図面を参照して、実施の形態にかかる移動無線通信システムおよび無線基地局の好適な実施の形態を詳細に説明する。
【００１３】
（概略）
図１は、実施の形態にかかる移動通信システムの概略を説明する図である。図１において、ＢＴＳ（Ｂａｓｅ  Ｔｒａｎｓｃｅｉｖｅｒ  Ｓｔａｔｉｏｎ）は、無線基地局であり、第１および第２のＵＥ（Ｕｓｅｒ  Ｅｑｕｉｐｍｅｎｔ）グループは、異なる無線移動機グループであり、ＲＮＣは、無線基地局の上位装置に相当する無線制御装置である。また、ＴＳｘ−ｙ（ｘ：数字または数字を表すＮ、ｙ：数字）は、ページングチャネル信号のタイムスロット（以下、スロットとする）を表す。ｘは、無線移動機グループに対応する数字であり、ｙは、各ｘに対する連番である。ＤＲＸ周期は、間欠受信の１周期である。
【００１４】
図１に示すように、無線基地局１は、無線制御装置４に接続されており、ページングチャネル信号を送信する。第１無線移動機グループ２に属する無線移動機は、無線基地局１から送信されたページングチャネル信号のうち、自グループに割り当てられた第２スロット（ＴＳ２−１、ＴＳ２−２、ＴＳ２−３、ＴＳ２−４）の電波を受信し、それに基づいて無線基地局１と通信する際の電波の品質を検出する。同様に、第２無線移動機グループ３に属する無線移動機は、ページングチャネル信号のうち、自グループに割り当てられた第６スロット（ＴＳ６−２、ＴＳ６−３、ＴＳ６−４）の電波を受信して、電波の品質を検出する。
【００１５】
無線基地局１は、第１無線移動機グループ２に属する無線移動機が現在のセルを再度選択しないように制御したい場合、ページングチャネル信号の第２スロットの電波を連続して停止する。すなわち、無線基地局１は、１番目、２番目、３番目および４番目の第２スロットＴＳ２−１，ＴＳ２−２，ＴＳ２−３，ＴＳ２−４の電波を送信するのを停止する。この状態を完全停波状態と呼ぶ。第２スロットの完全停波状態では、第１無線移動機グループ２に属する無線移動機は、ページングチャネル信号を受信できないため、現在のセルで無線基地局１と通信することができる電波が存在しないと判断し、他のセルへの移動を試みる。
【００１６】
無線基地局１は、第２スロットの完全停波状態の代わりに、第２スロットの電波を間欠的に送信、すなわち間欠的に停止してもよい。例えば、無線基地局１は、１番目と３番目の第２スロットＴＳ２−１，ＴＳ２−３の電波を送信し、２番目と４番目の第２スロットＴＳ２−２，ＴＳ２−４の電波を停止する。この状態を間欠停波状態と呼ぶ。第２スロットの間欠停波状態では、第１無線移動機グループ２に属する無線移動機は、ページングチャネル信号を受信できたり、受信できなかったりするため、現在のセルで無線基地局１と通信する際の電波の品質が悪いと判断し、他のセルへの移動を試みる。なお、間欠停波状態や完全停波状態の代わりに、無線基地局１は、制御対象となるスロットの電波を送信する際の電力を下げるようにしてもよい。これ以降、この状態を、低送信電力状態とする。
【００１７】
あるいは、無線基地局１は、第２スロットの情報を、正規の情報の代わりに、無効な情報にして送信してもよい。この状態を無効情報送信状態と呼ぶ。無効な情報とは、例えばＣＲＣ（Ｃｙｃｌｉｃ  Ｒｅｄｕｎｄａｎｃｙ  Ｃｈｅｃｋ、巡回冗長検査）エラーやフォーマットエラーなどが起こるような情報のことである。第２スロットの無効情報送信状態では、第１無線移動機グループ２に属する無線移動機は、ページングチャネル信号として、無効な情報を受信し、受信チェック用の正規の情報を受信することができないため、現在のセルでは無線基地局１と通信する際の電波を使用することができないと判断し、他のセルへの移動を試みる。
【００１８】
（無線基地局の構成）
図２は、実施の形態にかかる無線基地局の構成を示す図である。図２において、ＴＲＡは、無線送信部と無線受信部に相当する無線送受信部である。また、ＳＩＧは信号処理部であり、ＣＰは制御部であり、ＩＦはインターフェースであり、ＣＬＫはクロック部であり、ＳＷはセレクタスイッチである。
【００１９】
図２に示すように、無線基地局１では、無線送受信部１１、信号処理部１２、制御部１３、インターフェース１４およびクロック部１５がセレクタスイッチ１６を介して相互に接続されている。セレクタスイッチ１６は、各部間で信号の経路を切り替える。クロック部１５は、各部に動作タイミングを決めるクロック信号を供給する。無線送受信部１１は、アンテナ５に接続されており、アンテナ５を介して無線移動機から共通チャンネル信号を含む電波を受信する。また、無線送受信部１１は、制御部１３からメッセージを受け取り、そのメッセージに基づいて、アンテナ５を介して無線移動機へページングチャネル信号を含む電波を送信する。
【００２０】
信号処理部１２は、無線送受信部１１により受信された共通チャンネル信号の受信処理を行う。インターフェース１４は、有線伝送路を介して無線制御装置４に接続されており、無線制御装置４からの指示を受け取る。制御部１３は、信号処理部１２から受信処理後の共通チャンネル信号を受け取る。また、制御部１３は、インターフェース１４から無線制御装置４の指示を受け取る。そして、制御部１３は、共通チャンネル信号の受信数（流量）、または無線制御装置４の指示に基づいて、ページングチャネル信号の任意のスロットの電波の送信状態を制御するメッセージを送信する。
【００２１】
制御部１３について、例えば、図１の例で説明する。この例では、無線基地局１は、無線制御装置４から、第１無線移動機グループ２へのページングチャネル信号の送信を停止するという電波停止指示を受け取る。この場合、制御部１３は、ページングチャネル信号の第２スロットＴＳ２−１，ＴＳ２−２，ＴＳ２−３，ＴＳ２−４の電波を完全停波状態、間欠停波状態、低送信電力状態または無効情報送信状態にするという電波停止指示のメッセージを送信する。無線基地局１が複数のセルを管理している場合には、無線制御装置４からの電波停止指示および制御部１３が送信する電波停止指示に、制御対象のセルを特定する情報が含められる。
【００２２】
無線送受信部１１は、制御部１３からページングチャネル信号の第２スロットに対する電波停止指示のメッセージを受信すると、該当するスロットＴＳ２−１，ＴＳ２−２，ＴＳ２−３，ＴＳ２−４の電波を完全停波状態、間欠停波状態、低送信電力状態または無効情報送信状態に設定する。完全停波状態、間欠停波状態、低送信電力状態および無効情報送信状態のいずれの状態にするかということについては、予め無線基地局１の設計時の仕様で決められている。この仕様に応じて、無線送受信部１１は、第２スロットＴＳ２−１，ＴＳ２−２，ＴＳ２−３，ＴＳ２−４の電波を完全停波状態、間欠停波状態、低送信電力状態または無効情報送信状態にしてページングチャネル信号を送信する。制御部１３が、共通チャンネル信号の受信数に基づいてページングチャネル信号を制御する場合は、次の通りである。
【００２３】
図３は、実施の形態にかかる無線基地局の制御部の動作を説明する図である。図３に示すように、制御部１３は、無線移動機グループごとに、共通チャネル信号の受信数をカウントする（ステップＳ１）。そして、制御部１３は、無線移動機グループごとに、カウントした共通チャネル信号の受信数と、予め設定されている閾値を比較する（ステップＳ２）。比較の結果、図１の例で説明すると、第１無線移動機グループ２から受信した共通チャネル信号の数が閾値を超えている場合（ステップＳ２：Ｙｅｓ）、制御部１３は、第１無線移動機グループ２の電波を停止する指示、すなわちページングチャネル信号の第２スロットＴＳ２−１，ＴＳ２−２，ＴＳ２−３，ＴＳ２−４に対する電波停止指示のメッセージを送信する（ステップＳ３）。
【００２４】
それによって、無線送受信部１１は、第２スロットＴＳ２−１，ＴＳ２−２，ＴＳ２−３，ＴＳ２−４の電波を完全停波状態、間欠停波状態、低送信電力状態または無効情報送信状態にしてページングチャネル信号を送信する。一方、ステップＳ２で、第１無線移動機グループ２から受信した共通チャネル信号の数が閾値を超えない場合（ステップＳ２：Ｎｏ）、制御部１３は、電波停止指示のメッセージを送信しない。従って、無線送受信部１１は、第２スロットＴＳ２−１，ＴＳ２−２，ＴＳ２−３，ＴＳ２−４の電波を通常の送信状態に設定してページングチャネル信号を送信する。
【００２５】
ここで、ステップＳ２の閾値には、第１の閾値とそれよりも低い第２の閾値がある。第１の閾値は、該当するスロットの電波を停止させていない状態から停止させる状態に切り替えるための閾値である。第２の閾値は、該当するスロットの電波を停止させている状態を解除して、停止させていない状態に切り替えるための閾値である。第２の閾値の判定の場合は、無線移動機グループごとの判定でなく、無線移動機グループを合計した値で判定する。複数の無線移動機グループが停止状態だった場合には、次の順序で解除を行う。停止前の受信カウント数が小さいグループから、順次解除する。または、一番最初に停止したグループから解除する。ステップＳ２で、無線移動機グループから受信した共通チャネル信号の数が閾値を超える場合とは、該当するスロットの電波を停止していない状態で第１の閾値を超える場合と、該当するスロットの電波を停止している状態で第２の閾値を下回らない場合を含む。また、ステップＳ２で、無線移動機グループから受信した共通チャネル信号の数が閾値を超えない場合とは、該当するスロットの電波を停止していない状態で第１の閾値を超えない場合と、該当するスロットの電波を停止している状態で第２の閾値を下回る場合を含む。なお、共通チャネル信号の受信数のカウント値を、ある条件で初期値、例えばゼロにクリアしてもよい。その条件としては、例えば一定時間ごとでもよいし、他の無線移動機グループからの共通チャネル信号の受信数が閾値を超えた場合でもよい。また、次のような条件が満たされるときに、電波停止状態からの復旧を実施してもよい。その条件としては、電波停止から一定時間が経過したときでもよいし、セル内の移動無線機の数が閾値以下になったときでもよいし、セル内の共通チャネル信号の総受信数が閾値以下になったときでもよい。
【００２６】
制御部１３は、無線制御装置４からの電波停止指示に基づいて該当するスロットの電波を制御する機能と、共通チャネル信号の受信数に基づいて該当するスロットの電波を制御する機能のいずれか一方を有していればよい。制御部１３が両方の機能を有する場合には、制御部１３は、無線制御装置４から電波停止指示を受け取る場合、共通チャネル信号の受信数が閾値を超える場合、またはその両方の場合に、該当するスロットの電波を制御する。
【００２７】
（無線基地局の制御部の構成）
図４は、実施の形態にかかる無線基地局の制御部の構成を示す図である。なお、図４には、ページングチャネル信号の任意のスロットの電波を制御する部分に関係のある構成のみが示されている。図４に示すように、制御部１３は、呼制御部２１、外部通信制御部２２および内部通信制御部２３を備えている。呼制御部２１は、受信制御部３１、電力制御部３２、電力指示部３３および編集・送信部３４を備えている。外部通信制御部２２は、無線制御装置４からの電波停止指示を受け取る。内部通信制御部２３は、無線移動機からの共通チャネル信号を受け取る。受信制御部３１は、内部通信制御部２３から共通チャネル信号を受け取り、図３を参照しながら説明した動作（ステップＳ１〜ステップＳ３）を行う。
【００２８】
電力制御部３２は、ページングチャネル信号のスロットごとに送信電力を制御することができる。電力制御部３２は、共通チャネル信号の受信数が閾値を超えた場合、または外部通信制御部２２から電波停止指示を受け取った場合、該当するスロットの送信電力を設定する。該当するスロットの電波を完全停波状態とする場合には、完全停波状態が解除されるまでの間、該当するスロットの送信電力は、連続して例えばゼロに設定される。該当するスロットの電波を間欠停波状態とする場合には、間欠停波状態が解除されるまでの間、該当するスロットの送信電力は、間欠的に例えばゼロに設定される。該当するスロットの電波を低送信電力状態とする場合には、低送信電力状態が解除されるまでの間、該当するスロットの送信電力は、通常よりも低い電力に設定される。該当するスロットの電波を無効情報送信状態とする場合には、無効情報送信状態が解除されるまでの間、該当するスロットの送信電力は、例えば通常の電力に設定される。これらに該当しないスロットの送信電力は、例えば通常の電力に設定される。
【００２９】
電力指示部３３は、電力制御部３２から送信電力の制御内容を受け取り、それに基づいて無線移動機の送信電力を指示する。編集・送信部３４は、電力制御部３２からの送信電力の制御内容および電力指示部３３による送信電力の指示内容に基づいて、送信情報を編集し、該当するスロットに対する電波停止指示を含む情報の送信を指示する。その電波停止指示を含む情報は、内部通信制御部２３から無線送受信部１１へ送信される。なお、制御部１３には、その他に、送信信号に対して無線チャネルを設定する機能部や、有線側リンクとの関連付けを行う機能部がある。
【００３０】
（無線基地局の無線送受信部の構成）
図５は、実施の形態にかかる無線基地局の無線送受信部の構成を示す図である。なお、図５には、ページングチャネル信号の任意のスロットの電波を制御する部分に関係のある構成のみが示されている。図５に示すように、無線送受信部１１は、解析部４１、変換部４２、送信部４３、監視部４４、電力制御部４５および受信部４６を備えている。解析部４１は、制御部１３から電波停止指示を含む制御信号を受け取り、その信号を解析する。その結果、該当するスロットの電波を無効情報送信状態とする場合には、変換部４２は、該当するスロットの情報を無効な情報として、信号の変換を行う。送信部４３は、変換部４２により変換された無効な情報を含むページングチャネル信号を無線移動機へ送信する。
【００３１】
一方、該当するスロットの電波を完全停波状態とする場合には、監視部４４は、送信信号を監視する。そして、電力制御部４５は、該当するスロットの電波の送信を停止する。該当するスロットの電波を間欠停波状態とする場合の動作については、該当するスロットの電波の送信を停止するタイミングでは完全停波状態と同様であり、該当するスロットの電波を送信するタイミングでは通常の動作と同様である。また、該当するスロットの電波を低送信電力状態とする場合の動作については、該当するスロットの電波を送信するタイミングで送信電力を低くするが、それを除いて通常の動作と同様である。
【００３２】
受信部４６は、無線移動機から共通チャネル信号を受信し、その共通チャネル信号を信号処理部１２へ送る。なお、無線送受信部１１には、その他に、無線周波数を制御する機能部や、受信信号を監視する機能部がある。
【００３３】
（第１の運用例）
図６は、実施の形態にかかる移動通信システムの運用例を説明する図である。図６において、ＢＴＳ＿ＡおよびＢＴＳ＿Ｂは、異なる無線基地局であり、セル＿Ａ、セル＿Ｂおよびセル＿Ｃは、異なるセルであり、ＵＥ＿Ａ〜ＵＥ＿Ｊは、異なる無線移動機である。無線基地局＿Ａ５２および無線基地局＿Ｂ５３は、無線制御装置５１により管理されている。無線基地局＿Ａ５２は、セル＿Ａ５４およびセル＿Ｂ５５を管理している。無線基地局＿Ｂ５３は、セル＿Ｃ５６を管理している。セル＿Ｂ５５は、セル＿Ａ５４およびセル＿Ｃ５６と十分に重なっており、セル＿Ｂ５５には、他のセルと重ならない領域がない。
【００３４】
初めの状態を次の通りとする。例えば、無線移動機＿Ａ６１は、セル＿Ａ５４にいる。無線移動機＿Ｊ７０は、セル＿Ｃ５６にいる。それ以外の無線移動機（Ｂ６２〜Ｉ６９）は、セル＿Ｂ５５にいるとする。この状態では、セル＿Ｂ５５に収容されている無線移動機の数が多い。そこで、無線基地局＿Ａ５２は、セル＿Ｂ５５にいる無線移動機へ向けてページングチャネル信号を送信する際に、Ｂ６２とＤ６４とＦ６６とＨ６８の無線移動機が属するグループに割り当てられたスロットの電波を、完全停波状態とする。
【００３５】
それによって、Ｂ６２とＤ６４とＦ６６とＨ６８の無線移動機は、セル＿Ｂ５５に対するページングチャネル信号が消滅したと判断し、セルの再選択を行う。その際、セル＿Ｂ５５を再度選択することができないので、セル＿Ａ５４やセル＿Ｃ５６が選択される。図６の例では、Ｂ６２とＤ６４の無線移動機は、セル＿Ａ５４を選択し、Ｆ６６とＨ６８の無線移動機は、セル＿Ｃ５６を選択している。
【００３６】
図６において、Ｂ６２、Ｄ６４、Ｆ６６およびＨ６８の無線移動機とセル＿Ｂ５５を接続する二点鎖線は、セルの再選択を行う前の接続状態を示す。また、Ｂ６２、Ｄ６４、Ｆ６６およびＨ６８の無線移動機とセル＿Ａ５４またはセル＿Ｃ５６を接続する実線は、セルの再選択後の接続状態を示す。なお、完全停波状態に代えて、間欠停波状態、低送信電力状態または無効情報送信状態としてもよい。無効情報送信状態を選択する場合には、電力レベルの急激な変化を必要としない。従って、無効情報送信状態は、ハードウェアの応答性に高速性が要求されない安価なシステムに適している。それに対して、完全停波状態や間欠停波状態は、ハードウェアの応答性に高速性が要求される場合に適している。
【００３７】
（第２の運用例）
図７は、実施の形態にかかる移動通信システムの別の運用例を説明する図である。第２の運用例は、セル＿Ｂ５５と、セル＿Ａ５４およびセル＿Ｃ５６との重なりが十分でなく、セル＿Ｂ５５に他のセルと重ならない領域がある例である。初めの状態は、上述した第１の運用例と同じとする。第２の運用例では、無線基地局＿Ａ５２は、セル＿Ｂ５５にいる無線移動機へ向けてページングチャネル信号を送信する際に、Ｂ６２とＤ６４とＦ６６とＨ６８の無線移動機が属するグループに割り当てられたスロットの電波を、間欠停波状態とする。
【００３８】
それによって、Ｂ６２とＤ６４とＦ６６とＨ６８の無線移動機は、セル＿Ｂ５５に対するページングチャネル信号の電波の品質が悪いと判断し、セルの再選択を行い、セル＿Ａ５４やセル＿Ｃ５６への移動を試みる。図７の例では、無線移動機＿Ｂ６２は、セル＿Ａ５４へ移動することができたが、無線移動機＿Ｄ６４は、セル＿Ａ５４やセル＿Ｃ５６へ移動することができず、元のセル＿Ｂ５５を再度選択する。すなわち、無線移動機＿Ｄ６４は、セル＿Ｂ５５に留まることになる。また、無線移動機＿Ｈ６８は、セル＿Ｃ５６へ移動することができたが、無線移動機＿Ｆ６６は、セル＿Ａ５４やセル＿Ｃ５６へ移動することができず、元のセル＿Ｂ５５に留まる。
【００３９】
図７において、Ｄ６４およびＦ６６の無線移動機とセル＿Ｂ５５を接続する破線は、セルの再選択を行った結果、他のセルへ移動することができずに、元のセルに接続する状態を示す。なお、間欠停波状態に代えて、低送信電力状態または間欠的な無効情報送信状態としてもよい。第２の運用例のように、セルの重なりが十分でない場合には、ページングチャネル信号のスロットの電波を完全停波状態にすることは好ましくない。その理由は、完全停波状態にした場合、該当する無線移動機は元のセルに留まることができないので、他のセルとの接続を確立できないと、その無線移動機と無線基地局との接続が切れてしまうからである。ただし、システムの安全性を保つために、一部の無線移動機がセル＿Ｂ５５に接続するのを不可能にする場合には、完全停波状態を選択することもできる。
【００４０】
以上説明したように、本実施の形態によれば、現在のセルから他のセルへ移動させたい無線移動機に、現在のセルの電波が消滅したと認識させたり、現在のセルの電波の品質が悪いと認識させたり、現在のセルの電波を使用することができないと認識させることができるので、無線移動機が、現在のセルを再度選択するのを妨げることができる。つまり、無線移動機のセルリセレクションを制御することができる。
【００４１】
また、報知情報などによって無線移動機が現在のセルを再度選択するのを妨げるのに比べて、無線移動機ごとにセルリセレクションを制御することができるので、報知情報が少なくて済む。従って、無線移動機の電力消費を減らすことができる。報知情報が少ないと、セルリセレクションを迅速に行うことができる。また、無線移動機に対して機能を追加することなく、無線移動機のセルリセレクションを制御することができる。
【００４２】
また、セルを縮小することなく、任意の無線移動機グループに対して当該グループに属する無線移動機のセルリセレクションを制御することができる。また、無線移動機グループごとにセルリセレクションのタイミングをずらすことができるので、位置登録などが集中するのを防ぐことができる。また、セルが階層構造をなす場合に、無線移動機に適切な階層のセルを選択させることができる。
【図面の簡単な説明】
【００４３】
【図１】実施の形態にかかる移動通信システムの概略を説明する図である。
【図２】実施の形態にかかる無線基地局の構成を示す図である。
【図３】実施の形態にかかる無線基地局の制御部の動作を説明する図である。
【図４】実施の形態にかかる無線基地局の制御部の構成を示す図である。
【図５】実施の形態にかかる無線基地局の無線送受信部の構成を示す図である。
【図６】実施の形態にかかる移動通信システムの運用例を説明する図である。
【図７】実施の形態にかかる移動通信システムの別の運用例を説明する図である。
【符号の説明】
【００４４】
１  無線基地局
２，３  無線移動機グループ
４  上位装置（無線制御装置）
５  アンテナ
１１  無線送信部、無線受信部
１２  信号処理部
１３  制御部
１４  インターフェース
１５  クロック部
５１  無線制御装置
５２，５３  無線基地局
５４，５５，５６  セル
６１〜７０  無線移動機
【図１】
0005071228.tif 000002
【図２】
0005071228.tif 000003
【図３】
0005071228.tif 000004
【図４】
0005071228.tif 000005
【図５】
0005071228.tif 000006
【図６】
0005071228.tif 000007
【図７】
0005071228.tif 000008